(57)【要約】【課題】引戸周りの見栄えを低下させることなく、防犯性に優れたアウトセット引戸用の引戸錠装置を提供する。【解決手段】  引戸錠装置Ａは、引戸Ｄの戸先側引手寄りに錠ケース本体１２を埋設して引戸錠１０を取り付ける一方、引戸が閉止位置にあるとき引戸錠と対向する扉開口部戸先側の開口縁に錠受入れ凹部１１ｂを嵌め込んで引戸錠受け１１を取り付ける。そして、引戸錠のサムターン１３を施錠位置又は解錠位置に回動し、その回動をギヤ列を介して伝達して回転体１５を回転させると、その回転体のねじ穴１５ｃにねじ部１６ｃが螺合する一方で回転ストッパ１７にて回転規制したロック棒１６を、回転体の回転力に応じて引戸開閉方向Ｘと直交する方向に出没させて、引戸錠受けの錠受入れ凹部に対し係脱させる構成にする。【選択図】          図１
2005163294.tif 000002
【特許請求の範囲】
【請求項１】
室内に既設の扉開口部の出入り方向外側に壁面に沿って後付けされるアウトセット引戸に使用し、その引戸を閉止したとき施錠して閉止位置でロックする引戸錠装置において、
前記引戸の木口面寄りに錠ケース本体を埋設して取り付ける引戸錠を備える一方、前記引戸が閉止位置にあるとき、該引戸錠と対向する前記扉開口部の開口縁又は戸体側に錠受入れ凹部を形成してなり、
前記引戸錠は、
サムターン軸を中心として施錠位置と解錠位置とに往復回動可能に前記錠ケース本体に組み付けるサムターンと、
回転中心にねじ穴を螺設し、そのねじ穴の中心軸線を前記サムターン軸と平行な向きにして前記錠ケース本体内で回転可能に保持すると共に、前記サムターンと回転伝達手段を介して回転伝達可能に連結してなる回転体と、
外周に該回転体の前記ねじ穴と螺合するねじ部を設け、前記錠ケース本体で先端部を出没可能に支持するロック棒と、
そのロック棒に掛け止めて該ロック棒の軸回転を常時規制する回転ストッパとを備え、
前記サムターンを施錠位置又は解錠位置に回動して前記回転体を回転させると、回転規制状態の前記ロック棒が前記回転体の回転力に応じて引戸開閉方向と直交する向きに出没し、前記錠受入れ凹部に対し係脱してなることを特徴とする、引戸錠装置。
【請求項２】
前記錠受入れ凹部を形成した引戸錠受けを備え、該引戸錠受けは、その錠受入れ凹部を前記引戸錠と対向する前記扉開口部の開口縁又は戸体側に嵌め込んで取り付けてなることを特徴とする、請求項１に記載の引戸錠装置。
【発明の詳細な説明】
【技術分野】
【０００１】
本発明は、室内に既設の扉開口部の出入り方向外側に、壁面に沿って後付けされるアウトセット引戸に使用する引戸錠装置に関する。
【背景技術】
【０００２】
最近、マンションなどで室内をリフォームする場合、例えば扉開口部に既設の開き戸を、比較的お年寄りや身障者等に優しいため、引戸に付け替えるよう望まれることが多くなっている。その場合は、開き戸を取り外した後、たとえば図１１に示すように、そのまま扉開口部１の出入り方向外側に壁面２に沿ってアウトセット引戸３を後付けしている。
【０００３】
従来、斯かるアウトセット引戸３には、付け替え場所がトイレの扉開口部など閉止した後に施錠する必要がある箇所の場合は、戸先側の引手４近くに引戸錠５が組み込まれている。一方、壁面２には、扉開口部１の戸先側開口縁１ａに、引戸錠５の設置高さ位置に合わせて、引戸錠５の受けボックス６をねじ止めしている。そして、これら引戸錠５と受けボックス６とで引戸錠装置を構成し、この引戸錠装置で引戸３を施解錠している。
【０００４】
従来、アウトセット引戸用の引戸錠装置には、通常、引戸錠５として、いわゆる鎌錠が使用されている。一方、受けボックス６には、鎌錠のカマが係脱する縦長なカマ受け穴６ａを設け、引戸３の戸先側木口面３ａに対向して開口させている。そして、引戸３を閉止したとき、引戸錠５の、例えばサムターンを施錠方向に回してカマを引戸閉止方向へ倒すと、そのカマがカマ受け穴６ａに係合し、引戸３を施錠してロックする構成にしている。
【発明の開示】
【発明が解決しようとする課題】
【０００５】
ところが、従来の引戸錠装置では、引戸３を閉止位置でロックしたときでも、常に比較的大きなカマ受け穴６ａが正面に開いた受けボックス６が外部に露出したままとなり、見栄えが悪く、たとえリフォームしても引戸周りの美的外観性は依然として向上しないという課題があった。加えて、引戸３を施錠したときでも、受けボックス６のねじ止め箇所が露出状態にあり、しかも、カマ受け穴６ａに係合した鎌錠のカマも外側に一部露見するため、ネジを外して受けボックス６ごと取り外したり、カマの係合を外したりして簡単に不正解錠されやすく、それだけ防犯性にも欠けるという課題があった。
【０００６】
そこで、本発明の目的は、引戸周りの見栄えを低下させることなく、防犯性に優れたアウトセット引戸用の引戸錠装置を提供することにある。
【課題を解決するための手段】
【０００７】
上記した発明の目的を達成すべく、請求項１に記載の発明は、たとえば以下に示す図示実施の形態のとおり、室内に既設の扉開口部Ｓの出入り方向Ｙ・Ｚ外側に壁面に沿って後付けされるアウトセット引戸Ｄに使用し、その引戸Ｄを閉止したとき施錠して閉止位置でロックする引戸錠装置Ａにおいて、前記引戸Ｄの木口面３５寄りに錠ケース本体１２を埋設して取り付ける引戸錠１０と、前記引戸Ｄが閉止位置にあるとき、該引戸錠１０と対向する前記扉開口部Ｓの開口縁又は戸体側に錠受入れ凹部１１ｂを形成してなり、前記引戸錠１０は、サムターン軸１３ｂを中心として施錠位置と解錠位置とに往復回動可能に前記錠ケース本体１２に組み付けるサムターン１３と、回転中心にねじ穴１５ｃを螺設し、そのねじ穴１５ｃの中心軸線を前記サムターン軸１３ｂと平行な向きにして前記錠ケース本体１２内で回転可能に保持すると共に、前記サムターン１３とギヤ列のような回転伝達手段を介して回転伝達可能に連結してなる回転体１５と、外周に該回転体１５の前記ねじ穴１５ｃと螺合するねじ部１６ｃを設け、前記錠ケース本体１２で先端部１６ｂを出没可能に支持するロック棒１６と、そのロック棒１６に掛け止めて該ロック棒の軸回転を常時規制する回転ストッパ１７とを備え、前記サムターン１３を施錠位置又は解錠位置に回動して前記回転体１５を回転させると、回転規制状態の前記ロック棒１６が前記回転体１５の回転力に応じて引戸開閉方向Ｘと直交する向きに出没し、前記錠受入れ凹部１１ｂに対し係脱してなることを特徴とする。
【０００８】
請求項２に記載の発明は、請求項１に記載の引戸錠装置Ａにおいて、たとえば以下に示す図示実施の形態のとおり、前記錠受入れ凹部１１ｂを形成した引戸錠受け１１を備え、該引戸錠受け１１は、その錠受入れ凹部１１ｂを前記引戸錠１０と対向する前記扉開口部Ｓの開口縁又は戸体側に嵌め込んで取り付けてなることを特徴とする。
【発明の効果】
【０００９】
本発明の引戸錠装置よれば、閉止位置にある引戸を施錠するとき、引戸錠のサムターンを施錠位置に回動すると、ロック棒が引戸開閉方向と直交する向きに突出し、引戸錠と対向する扉開口部の開口縁又は戸体側にある錠受入れ凹部に係合させて引戸をロックする構成であるため、引戸錠受けを引戸の側縁で覆って外部に露出させない状態で引戸をロックすることが可能となり、それだけ見栄えを良くし、引戸周りの美的外観性を向上させることができる。更に、引戸錠受けのねじ止め箇所も外部に露出せず、しかも、ロック棒も外部に露見させることなく引戸を施錠するため、従来のごとく引戸錠受けを取り外したり、ロック棒の引戸錠受けに対する係合を外したりして不正解錠することを防止し、それだけ防犯性を高めることができる。
【発明を実施するための最良の形態】
【００１０】
以下、図面を参照しつつ、本発明の実施の形態について説明する。
【００１１】
図１は本発明の一例である引戸錠装置の構造を示す断面図、図２は引戸錠装置を組み付けた引戸構造体を示す斜視図である。引戸構造体Ｂは、図２に示すように、壁体Ｗにあけた扉開口部Ｓに戸枠Ｔを組み付け、扉開口部Ｓの天井側にガイドレール体Ｇを懸架し、そのガイドレール体Ｇに引戸Ｄを戸車を介して係合させて、引戸開閉方向Ｘにスライド自在に吊設した構造になっている。図示引戸Ｄは、いわゆるアウトセット引戸で、開き戸専用に既設された扉開口部Ｓをそのまま利用し、その出入りする方向Ｙ・Ｚの外側で壁面に沿って後付けされる木製引戸である。引戸Ｄには、その戸先寄りに、引戸用の取手として引手ａが付設されている。ガイドレール体Ｇには、その戸先および戸尻側端部に戸当り（図示省略）を内設して引戸Ｄの開閉ストロークを規制している。特に、戸先側戸当たりは、引戸Ｄを閉止したとき、図中鎖線で示すとおり、その戸先側の側縁が戸枠Ｔの戸先側縦枠材ｔを越えて重なる戸当り位置に設置している。斯かる構成の引戸構造体Ｂに、以下に詳述する引戸錠装置Ａを組み込み、その引戸錠装置Ａを作動させてアウトセット引戸Ｄを施解錠する構造にしている。
【００１２】
図示例の引戸錠装置Ａは、図１に示すように、引戸錠１０および引戸錠受け１１とからなる。引戸錠１０は、錠ケース本体１２と、錠ケース本体１２に組み付けるサムターン１３および表示板１４と、錠ケース本体１２内に組み込む回転体１５と、錠ケース本体１２で支持するロック棒１６と、そのロック棒１６の回転ストッパ１７とを備えた構成になっている。
【００１３】
錠ケース本体１２は、樹脂製で、図３および図４に示すように、片側を開放した浅底な収納ケース１９に蓋板２０を被せて略矩形な薄箱状に組み立て、内部に回転系部品を組み込んでなる。収納ケース１９は、その長さ方向一端側に、両端にねじ止め板部２１ａが突出する長手の取付板２１を接着している。底板部１９ａには、一端側の取付板２１寄りにギヤ保持穴２２をあける一方、他端側に軸受嵌合穴２３をあけ、軸受嵌合穴２３の左右両側に一段肉厚な一対の回動規制段部１９ｂ・１９ｂを間隔をあけて設けると共に、略中間位置に、管軸状のギヤ保持筒部１９ｃを突設している。ギヤ保持筒部１９ｃは、その中空穴をねじ穴で形成してなる。なお、回動規制段部１９ｂ・１９ｂには、互いに対向する端面に、小さく切り欠いたバネ取付凹部１９ｄ・１９ｄが設けられている。他方、蓋板２０には、収納ケース１９のギヤ保持穴２２とギヤ保持筒部１９ｃと軸受嵌合穴２３と各々対応させて、順次受け穴２０ａ・２０ｂ・２０ｃが設けられている。
【００１４】
さらに錠ケース本体１２内には、回転系部品として、カムギヤ２５と減速ギヤ２６と前記回転体１５を組み込んだ構成になっている。カムギヤ２５は、金属製の扇形歯部２５ａと、その基部側にリング部２５ｂを有し、リング部２５ｂに樹脂製の厚肉な環状軸受２７を嵌着している。扇形歯部２５ａには、その周方向両端に突当て凸部２５ｃを有してなる。環状軸受２７は、両端面に環状の嵌合リブ２７ａを有すると共に、中心に矩形の軸受穴２８をあけてなる。なお、リング部２５ｂには、その周縁に間隔をあけて掛止め用切欠き２５ｄが設けられている。減速ギヤ２６は、樹脂製で、同軸上に大歯車部２６ａと小歯車部２６ｂとを設けてなる。回転体１５も、樹脂製で、外形が略円筒状をなすギヤ状に成形され、両端面に環状の嵌付リブ１５ａを有すると共に、外周に歯部１５ｂを刻設する一方、内周にねじ穴１５ｃを螺設してなる。
【００１５】
この錠ケース本体１２内において、カムギヤ２５は、環状軸受２７に有する嵌合リブ２７ａの一端側を、収納ケース１９の軸受嵌合穴２３に回転可能に嵌合する。減速ギヤ２６は、小歯車部２６ｂをカムギヤ２５の扇形歯部２５ａに噛み合わせ、中心丸穴２６ｃにギヤ保持筒部１９ｃを嵌合させて回転可能に保持する。回転体１５は、外周の歯部１５ｂを減速ギヤ２６の大歯車部２６ａに噛み合わせ、嵌付リブ１５ａの一端側を、ギヤ保持穴２２に回転可能に嵌合し、カムギヤ２５と減速ギヤ２６と共にギヤ列を形成する。そして、収納ケース１９に蓋体２０を被せ、受け穴２０ｃに、カムギヤ２５に備える環状軸受２７の嵌合リブ２７ａの他端側を嵌合すると共に、受け穴２０ａに、回転体１５の嵌付リブ１５ａの他端側を嵌合する。一方、中心の受け穴２０ｂに止めネジ２９を通し、ギヤ保持筒部１９ｃのねじ穴にねじ込み、さらに蓋体２０の四隅をねじ止めして錠ケース本体１２を組み立ててなる。
【００１６】
なお、錠ケース本体１２内には、回動規制段部１９ｂ・１９ｂ間にクリックバネ１８が組み付けられている。クリックバネ１８は、樹脂材で細軸状に成形して弾性をもたせ、さらに中間部でコ状に屈曲して突部１８ａを形成すると共に、その突部１８ａに係合リブ１８ｂを設けた形状になっている。そして、係合リブ１８ｂを、カムギヤ２５のリング部２５ｂに対向させて、両端軸部を回動規制段部１９ｂのバネ取付凹部１９ｄ・１９ｄに嵌め込んでなる。
【００１７】
サムターン１３は、金属製で、図５および図６に示すように、サムターン摘み１３ａと角軸状のサムターン軸１３ｂとで略Ｔ形をなし、サムターン軸１３ｂをサムターンキャップ３０の中心穴に貫通させて回転可能に連結した構造になっている。サムターンキャップ３０には、一対のねじ挿通穴３０ａがあけられている。表示板１４は、金属製の固定円板３１と回転円板３２とを重ね合わせ、回転円板３２を、管軸状の中心受軸３３を中心として固定円板３１に回転可能に連結してなる。固定円板３１には、外板面を等分に２つに色分けし、引戸Ｄの施解錠状態を識別する半円の区分表示面が施されている。一方、内板面上に、サムターンキャップ３０のねじ挿通穴３０ａと対応させて管軸状のスタッド３４を立設している。スタッド３４には、その中空穴がねじ穴で形成されている。回転円板３２には、円周に、その一部切り欠いて表示窓３２ａを設けると共に、中心に非常解錠操作用の凹み３２ｂが設けられている。中心受軸３３は、その中空穴を、サムターン軸１３ｂの角軸形状に合わせて角穴状に穿設してなる。
【００１８】
ロック棒１６は、金属製で、外周面には、軸方向に切り溝１６ａを設けると共に、先端部１６ｂ側を除いてねじ部１６ｃを螺設してなる。一方、回転ストッパ１７は、樹脂製で、固定板部１７ａから嵌合パイプ部１７ｂを突設し、その嵌合パイプ部１７ｂの内周面に、ロック棒１６の切り溝１６ａに合わせて縦長な規制リブ１７ｃを設けてなる。
【００１９】
そして、錠ケース本体１２に対し、これらサムターン１３、表示板１４、ロック棒１６および回転ストッパ１７を組み付けて引戸錠１０が構成される。なお、引戸錠１０を組み込む引戸Ｄには、予め、戸先側の木口面３５における引手寄りに、錠ケース本体１２の外形状に合わせて横穴３６が穿設され、一方、横穴３６に連通するように、内側板面４０ａに、サムターン１３と回転ストッパ１７の外形状にそれぞれ合わせて取付穴３７と取付凹部３８が穿設され、外側板面４０ｂに、表示板１４の外形状に合わせて嵌め込み穴３９が穿設されている。
【００２０】
そこで、錠ケース本体１２は、横穴３６内に差し込んで埋設し、取付板２１のねじ止め板部２１ａにおいて木口面３５にねじ止めする（図７参照）。一方、サムターン１３は、図５および図６に示すように、内側板面４０ａから取付穴３７に嵌め込み、サムターン軸１３ｂを、錠ケース本体１２内でカムギヤ２５における環状軸受２７の軸受穴２８に挿通させる。表示板１４は、外側板面４０ｂから嵌め込み穴３９に嵌め込み、回転円板３２の中心受軸３３を蓋板２０の受け穴２０ｃを通して挿入し、中心受軸３３の角穴にサムターン軸１３ｂの先端を嵌合させる。そして、内側板面４０ａから、長ネジ４４をサムターンキャップ３０のねじ挿通穴３０ａに通して表示板１４のスタッド３４にねじ込み、サムターンキャップ３０と表示板１４の固定円板３１を両板面に固定する一方、サムターン１３および表示板１４の回転円板３２を、カムギヤ２５と一体に回動可能に連結して錠ケース本体１２に組み付けてなる（図１参照）。
【００２１】
ロック棒１６は、図５および図６に示すように、内側板面４０ａから、ねじ部１６ｃを、取付凹部３８に有する挿通穴３８ａを通して回転体１５の雌ねじ穴１５ｃに螺合させる。それから、同じ内側板面４０ａから、回転ストッパ１７を取付凹部３８に嵌め込み、規制リブ１７ｃをロック棒１６の切り溝１６ａに係合し、嵌合パイプ部１７ｂ内にロック棒１６の先端部１６ｂを嵌合させる。そして、固定板部１７ａにおいて回転ストッパ１７を内側板面４０ａにねじ止し（図７参照）、これにより、引戸錠１０を引戸Ｄに組み付けてなる。
【００２２】
一方、引戸錠装置Ａにおいて、引戸錠受け１１は、図１および図８に示すように、樹脂製で、取付板部１１ａに、ロック棒１６の軸径に対応させた大きさの筒状凹部を突設し、そこに錠受入れ凹部１１ｂを形成した形状に成形してなる。そして、引戸Ｄが閉止位置にあるとき、引戸錠１０のロック棒１６と対向する高さ位置において、錠受入れ凹部１１ｂの開口を手前に向けて戸枠Ｔの戸先側縦枠材ｔにねじ止めしてなる。
【００２３】
さて、上述した引戸構造体Ｂにおいて、引戸Ｄを閉止すると、引戸Ｄは、その戸先側の側縁が前記戸先側戸当たりに当接し、戸先側縦枠材ｔと重なる所定の閉止位置で止められる。そのとき、引戸錠装置Ａは、引戸錠１０のロック棒１６が引戸錠受け１１の錠受け入れ凹部１１ｂと対向し、引戸Ｄを施解錠する位置に位置決められる。
【００２４】
そこで、引戸錠装置Ａを作動し、まず引戸Ｄを施錠する場合は、引戸Ｄの内側からサムターン摘み１３ａを摘んでサムターン１３を施錠方向に回動する。すると、サムターン１３と一体にギヤカム２５がサムターン軸１３ｂを中心に回動し、その回動を減速ギヤ２６で減速して回転体１５へ伝達し、該回転体１５を回転させる。すると、回転体１５に螺合したロック棒１６は、切り溝１６ａに規制リブ１７ｃが係合した回転ストッパ１７で回転規制されているため、回転体１５の回転力に応じて引戸開閉方向Ｘと直交する出入り方向内向きＹに直進して押し出される。そして、図９に示すように、ロック棒１６の先端部１６ｂが回転ストッパ１７の嵌合パイプ部１７ｂから突出し、引戸錠受け１１の錠受入れ凹部１１ｂに係合する。これにより、引戸Ｄを施錠してロックする。
【００２５】
一方、解錠時は、サムターン１３を解錠方向に回動すると、その解錠方向の回動を、カムギヤ２５から減速ギヤ２６を介して回転体１５に伝達し、該回転体１５を逆向きに回転させる。すると、ロック棒１６は、同様に回転ストッパ１７で回転規制されているため、回転体１５の回転力に応じて、今度は、引戸開閉方向Ｘと直交する出入り方向外向きＺへ直進し、図７に示すように引き込まれる。すると、ロック棒１６の先端部１６ｂが引戸錠受け１１の錠受入れ凹部１１ｂから外れて、引戸Ｄのロックを解除する。
【００２６】
このように引戸Ｄを施解錠する場合、引戸錠装置Ａでは、サムターン１３を施錠方向又は解錠方向に回動すると、その都度、カムギヤ２５における扇形歯部２５ａの突当て凸部２５ｃが回転規制段部１９ｂ・１９ｂに突き当たる（図４参照）。これにより、サムターン１３の回動許容角度範囲を規制して施錠位置と解錠位置とに位置決めし、ロック棒１６が引戸錠受け１１の錠受入れ凹部１１ｂに対し係脱する直進ストロークを規定している。同時に、引戸錠装置Ａでは、サムターン１３を施錠位置又は解錠位置に回動するとき、その都度、カムギヤ２５の切欠き２５ｃにクリックバネ１８の弾性に抗して係合リブ１８ｂが掛け止められる。すると、その都度、操作者はクリック感を得られ、これによって引戸錠装置Ａによる引戸Ｄの施解錠状態を簡単に確認することができる。
【００２７】
また、引戸錠装置Ａでは、サムターン１３を回して引戸Ｄを施解錠するとき、同時にサムターン軸１３ｂを介して表示板１４の回転円板３２が正逆方向に回動する。すると（図６参照）、回転円板３２の回動方向に応じて、表示窓３２ａから臨む固定円板３１上の区分表示面が切り換って引戸Ｄの施解錠状態が外部に表示される。一方、非常時、引戸Ｄが施錠状態にある場合に、例えば異常事態を発生しためにロックを解除して外側から引戸Ｄを開けたいときは、コイン等を用いて、これを非常解錠操作用の凹み３２ｂに係止して回転円板３２を回動させる。すると、サムターン１３が解錠方向に回動してロック棒１６が引き込まれ、引戸錠受け１１の錠受入れ凹部１１ｂから外れる。こうして引戸Ｄを非常解錠することができる。
【００２８】
なお、上述した引戸錠装置Ａは、引戸錠１０に、サムターン軸１３ｂやロック棒１６の長さの異なる数種の引戸錠１０を備え、たとえば図１０（Ａ）・（Ｂ）に示すように、戸厚の異なる引戸Ｄに適合させて組み込むことが可能な構成になっている。
【００２９】
ところで、上述した引戸錠装置Ａでは、サムターン１３の回動をギヤ列を介して回転体１５へ伝達する構成であったが、それに限らず、回転ベルトなど、各種の回転伝達手段を用いて回転体へ回転伝達する構成にすることもできるのは、勿論である。
【００３０】
また、図示例の引戸錠装置Ａは、錠受入れ凹部１１ｂを形成した引戸錠受け１１を別途備えた構成であったが、そのように引戸錠受けを別に使用せず、引戸錠と対向する、たとえば扉開口部の開口縁に直接凹みを穿設したり、そこに既設の段部などを利用して錠受入れ凹部を形成し、そこにロック棒を係脱させて引戸を施解錠する構成にしてもよい。
【００３１】
さらに、上述した引戸錠装置Ａは、引戸Ｄの戸先側木口面３５寄りに組み込んだ構成であったが、反対に引戸Ｄの戸尻側木口面寄りに組み込んで引戸Ｄを施解錠する構成にすることもできる。そして、図示例では、引戸錠装置Ａを片開き式の引戸Ｄに適用したが、両開き式引戸や引き違い式の引戸に組み込んで使用することもできる。
【図面の簡単な説明】
【００３２】
【図１】本発明の一例である引戸錠装置の構造を示す縦断面図である。
【図２】引戸錠装置を組み付けた引戸構造体を示す斜視図である。
【図３】引戸錠に備える錠ケース本体の分解斜視図である。
【図４】蓋体を開けて錠ケース本体の内部構造を示す平面図である。
【図５】引戸の戸先側の構造と引戸錠の部品構造を示す分解斜視図である。
【図６】図５を反対側から見て示す同様な分解斜視図である。
【図７】引戸錠が解錠状態にある引戸の戸先側を示す斜視図である。
【図８】引戸錠装置を引戸構造体に組み込んだ状態で示す平面図である。
【図９】引戸錠が施錠状態にある引戸の戸先側を示す斜視図である。
【図１０】（Ａ）・（Ｂ）は戸厚の異なる引戸にそれぞれ組み込んだ引戸錠を示す平面図である。
【図１１】従来の引戸錠装置を組み付けた引戸構造体を示す斜視図である。
【符号の説明】
【００３３】
Ａ          引戸錠装置
Ｂ          引戸構造体
Ｄ          引戸
Ｗ          壁体
Ｔ          戸枠
１０        引戸錠
１１        引戸錠受け
１１ｂ      錠受入れ凹部
１２        錠ケース本体
１３        サムターン
１３ｂ      サムターン軸
１５        回転体
１５ｃ      回転体のねじ穴
１６        ロック棒
１６ａ      ロック棒の切り溝
１６ｃ      ロック棒のねじ部
１７        回転ストッパ
１７ｃ      回転ストッパの規制リブ
３５        引戸の木口面
【図１】
2005163294.tif 000003
【図２】
2005163294.tif 000004
【図３】
2005163294.tif 000005
【図４】
2005163294.tif 000006
【図５】
2005163294.tif 000007
【図６】
2005163294.tif 000008
【図７】
2005163294.tif 000009
【図８】
2005163294.tif 000010
【図９】
2005163294.tif 000011
【図１０】
2005163294.tif 000012
【図１１】
2005163294.tif 000013